【事件の表示】
　特願２００７−５１８３２９号「誘導型放射線療法又は手術を用いて患者の肺を治療するシステム及び方法」拒絶査定不服審判事件〔平成１８年１月５日国際公開、ＷＯ２００６／００２３９６、平成２０年３月２１日国内公表、特表２００８−５０７９９６号〕について、次のとおり審決する。
【結　論】
　本件審判の請求は、成り立たない。
【理　由】
第１．手続の経緯
　本願は、平成１７年６月２４日（パリ条約による優先権主張　２００４年６月２４日（ＵＳ）アメリカ合衆国）を国際出願日とする出願であって、平成２４年４月２日付けで拒絶査定がなされ、これに対して平成２４年８月９日に拒絶査定不服審判が請求されるとともに、その審判請求と同時に手続補正がなされたものである。
　
第２．平成２４年８月９日付け手続補正についての補正却下の決定
［補正却下の決定の結論］
　平成２４年８月９日付け手続補正（以下「本件補正」という。）を却下する。
［理由］
　本件補正により、特許請求の範囲の請求項１は、
「患者の肺の中の標的を治療する方法であって、
　リード線無しマーカを前記標的に関連して前記患者の前記肺の中に位置決めするステップと、
　前記マーカの位置データを収集するステップと、
　前記収集した位置データに基づいて外部座標系内における前記マーカの存在場所を突き止めるステップと、
　（ａ）前記マーカの動きに応答し、（ｂ）臨床的に許容できる追跡誤差範囲内で前記標的の前記存在場所をリアルタイムで追跡する頻度で提供される客観的出力を前記外部座標系中に提供するステップとを有する、方法。」から、
　
「リード線無しマーカの作動方法であって、
　標的に関連して患者の肺の中に位置決めされた前記マーカの位置データを収集するステップと、
　前記収集した位置データに基づいて外部座標系内における前記マーカの存在場所を突き止めるステップと、
　（ａ）前記マーカの動きに応答し、（ｂ）臨床的に許容できる追跡誤差範囲内で前記標的の前記存在場所をリアルタイムで追跡する頻度で提供される客観的出力を前記外部座標系中に提供するステップとを有する、方法。」と補正（以下「上記補正」という）された。
　
　上記補正は、「患者の肺の中の標的を治療する方法」を、「リード線無しマーカの作動方法」と補正し、「リード線無しマーカーを前記標的に関連して前記患者の前記肺の中に位置決めするステップと、」を削除し、さらに、「マーカ」に対して「標的に関連して患者の肺の中に位置決めされた」ことを限定したものである。　
　以下、上記補正が、平成１８年法律第５５号改正附則第３条第１項によりなお従前の例によるとされる同法による改正前（以下、単に「改正前」という）の特許法第１７条の２第４項の各号に掲げる何れの事項を目的にするものであるか以下検討する。
（１）上記補正は、本件補正前、補正後の特許請求の範囲の請求項１の記載からみて、明らかに、改正前の特許法第１７条の２第４項第１号、第３号に掲げる、請求項の削除、誤記の訂正を目的とするものには該当しない。　
（２）上記補正は、「患者の肺の中の標的を治療する方法」を、「リード線無しマーカの作動方法」と変更し、「リード線無しマーカーを前記標的に関連して前記患者の前記肺の中に位置決めするステップ」を削除したものであるから、改正前の特許法第１７条の２第４項第２号に掲げる特許請求の範囲の減縮を目的とするものには該当しない。
（３）上記補正前の特許請求の範囲の請求項１の記載は明瞭であって、かつ、その記載について特許法第３６条第６項第２号の拒絶理由通知がなされていたものではないから、上記補正は、改正前の特許法第１７条の２第４項第４号に掲げる明りょうでない記載の釈明を目的とするものには該当しない。
　
　以上のとおり、上記補正は、改正前の特許法第１７条の２第４項各号に掲げるいずれの事項を目的とするものにも該当せず、改正前の同法第１７条の２第４項の規定に違反するものであるから、本件補正は、同法第１５９条第１項において読み替えて準用する同法第５３条第１項の規定により却下されるべきものである。
　
第３．本願発明について
１．本願発明
　本件補正は、上述のように却下されたので、本願の請求項５５に係る発明は、平成１９年２月２３日付けの国際出願翻訳文提出書における特許請求の範囲の請求項５５に記載された事項により特定される以下のとおりのものである。（以下「本願発明」という。）
　　
「【請求項４８】
　マーカを患者の肺の中に配備する装置であって、
　前記患者の前記肺の中の通路に通されるよう形作られている遠位部分を備えた細長い本体と、
　トランスポンダを備えていて、前記本体の前記遠位部分で放出自在に支持されたリード線無しマーカと、
　前記遠位部分のところに設けられた配備機構体とを有し、前記配備機構体は、前記マーカを前記本体の前記遠位部分から放出するよう構成されている、装置。
　
【請求項５２】
　前記トランスポンダは、ワイヤレスで送られた励振エネルギーによってエネルギーを与えられ、前記励振エネルギーに応答して磁気ロケーション信号をワイヤレスで送るよう構成された回路を含む磁気トランスポンダから成る、請求項４８記載の装置。
　
【請求項５５】
　前記トランスポンダは、フェライトコア及び前記フェライトコアの周りに設けられたコイルを有し、前記マーカは、前記マーカの長手方向軸線に垂直であって、２ｍｍ以下の断面寸法を持つカプセルを更に有する、請求項５２記載の装置。」
　
２．引用刊行物とその記載内容
　刊行物１：特表平１０−５０８５０４号公報
　刊行物２：国際公開２００３／０５３２７０号
　
（１）刊行物１
　原査定の理由において引用され、本願優先日前に頒布された刊行物１には、「組織を特定しおよびマーキングする方法および装置」に関して、以下の記載がある。
　
１ａ）「【特許請求の範囲】
１．
治療または診断処置のため、被選択部位を特定すべく人体内の組織をマーキングする装置であって
　　マーカ要素と、　
　　可視支援装置を使用して前記マーカ要素を人の体外より被選択部位に遠隔操作で導入する装置と、　
　　を備え、
　　前記マーカ要素が、前記被選択組織部位に移植されてなる、　
    ことを特徴とする装置。　
２．前記装置が、遠位部および近位部を有する部材を含み、　
　　前記部材が、前記人体内を延びるようになっており、　
　　前記遠位部が、前記マーカ要素を保持しおよび配備するようになっており、　
　　前記近位部が、前記遠位部と連結され、所定のマーカ配備機能が前記近位部から前記遠位部に伝達される、　
　　ことを特徴とする請求の範囲第１項に記載の装置。」（公報第２ページ第１〜１５行）（下線は、当審が付与。以下同様。）
　
１ｂ）「病変部が死滅した異常組織により、単に石灰化していることがよくある。癌または前癌状態であり、評価のためには、病変部を完全に取除くのでなく、標本のみを切取るのが望ましい。そのような病変部は、実際、近接する異常組織の位置をマークし、特定するのに役立ち、医者は完全に病変部を取除いて、後に被影響細胞を再び見つける決定的な媒体を失うのをきらうのである。患者にとって核生検をする利点のひとつは、切取られる腫瘤が小さいことである。しかし、不注意か、または病変部が非常に小さいため、部分的に切取るのが望ましい場合にあっても、評価用病変部を完全に取除いてしまうことが度々ある。そのとき、後の分析により、組織が悪性（最初の生検における近接部の悪性組織は数日あるいは数週間後に取除かなければならない。）になる徴候を示した場合、医者が、近接する癌化可能組織に必要な補足処置を施するため、病変部の厳密な位置を特定することは難しい。また、病変部が良性と認められても、その後の検査で、その位置を明白に示すものが何も見出し得ない。以前に取除いた石灰化組織の場所をマークすれば、被影響組織は再発に備えて、入念に監視される。　
　このように、摘出または標本抽出に先立ち、あるいは事後速やかに、この病変部の部位または限界を恒久的にマーキング化得るという少なからぬ利点となる。　
摘出前のマーキングは、所望であれば、確実に病変部を完全切除するのに役立つ。一方、病変部が不注意で完全に取除かれた場合は、実施後速やかに生検部をマーキングすれば、後の識別のためにその部位を確定することができよう。」（公報第８ページ第６〜２４行）
　
１ｃ）「図１２には、マーキング器具１０ｂの第二の実施形態が示されている。ここで図示または説明する点以外は、マーキング器具１０と全く同一である。マーキング器具１０に対応するマーキング器具１０ｂの各部分は、対応する符号の後にｂの文字を付けて示す。
　図１２の実施形態は、本質的には図４の実施形態と同様である。この実施形態でもマーキング器具に管５４ｂが付属し、その中は管腔５６ｂとなっている。また、カニューレ、針、もしくは造影装置（すなわち内視鏡、腹腔鏡など）を利用して体内の供給部位に到達してマーカ供給を支援することができる。」（公報第２０ページ第１５行〜２２行）
　
１ｄ）「図１４はマーキング装置のもう一点の実施形態を示している。これは、図示した箇所およびここで説明する以外の点については、図１２のマーキング器具１０ｂと全く同一である。図１２のマーキング器具１０ｂに対応するマーキング器具１０ｄの各部分は、対応する符号の後にｄの文字を付けて示す。　
　ここでも、図１４の実施形態はマーカ要素、すなわちばね１２ｄの形状を除いて図１２の実施形態と本質的には同一である。このように、
マーカ要素１２ｄを位置決めするため、マンドレル９８ｄなどを使用してばね１２ｄを中央管腔５６ｄに沿って押し出し、管の遠位開放端９０ｄから排出するのが望ましい。
　実用においては、Ｘ線技師その他の本装置の操作者は、ある検査中に図１２に示すようなマーカ１２ｂと同様の形状のマーカを使用し、次に別の検査では図１３のマーカ１２ｃのような別の形状のマーカ、あるいは図１４のマーカ１２ｄのような形状のマーカを使用できる。形状の異なるマーカを使用することで、将来の撮像においてそれぞれの検査、ならびに近接している場合の多い各検査箇所を区別できる。それにより、Ｘ線技師の得る情報の質を改善でき、患者の将来の病状をより正確に監視、あるいは診断できる。」（公報第２２ページ第１８行〜第２３ページ第６行）
　
１ｅ）図１４から、
管５４ｄが、細長い形状であって、その遠位部分における中央管腔５６ｄに、マーカ１２ｄとマンドレル９８ｄを収容している
　
　以上の記載１ａ）〜１ｅ）及び図１２〜図１５の記載を総合すると、刊行物１には以下の発明（以下「引用発明１」という。）が記載されている。
「治療または診断処置のため、被選択部位を特定すべく人体内の組織に対してマーカー１２ｄを位置決めする装置であって、細長い形状の管５４ｄの遠位部分における中央管腔５６ｄに、マーカー１２ｄとマンドレル９８ｄを収容しており、マーカー１２ｄを位置決めするため、マンドレル９８ｄを使用してマーカー１２ｄを管５４ｄの中央管腔５６ｄに沿って押し出し、管５４ｄの遠位開放端９０ｄから排出する装置。」
　
（２）刊行物２
　原査定の理由において引用され、本願優先日前に頒布された刊行物２には、「リード線無し小型マーカー励起用システム」に関して、以下の記載がある。
　なお、文末の（　）は、日本語訳として用いた、刊行物２のパテントファミリーである特表２００５−５１３４５０号公報の対応箇所である。
　
２ａ）”Figure 1 is a schematic isometric view of a system 10 for energizing and locating one or more leadless resonating marker assemblies 14 in three- dimensional space relative to a sensor array 16 in accordance with one embodiment of the present invention. The system 10 includes a source generator 18 that generates a selected magnetic excitation field or signal 20 that energizes the marker assemblies 14. The energized marker assemblies 14 generate a measurable marker signal 22 that can be sufficiently measured in the presence of both the excitation source signal and environmental noise sources. In the illustrated embodiment, the marker assemblies 14 are positioned in or on a selected object 24 in a known orientation relative to each other. The marker signals 22 are measured by a plurality of sensors 26 in the sensor array 16. The sensors 26 are coupled to a signal processor 28 that utilizes the measurement of the marker signals 22 from the sensors 26 to calculate the location of each marker assembly 14 in three- dimensional space relative to a known frame of reference, such as the sensor array 16.”（明細書第６ページ第２４行〜第７ページ第７行）
（ 図１は、１つ以上のリード線無しマーカー・アッセンブリ１４にエネルギーを与え、それらの、センサーアレイ１６との相対的な３次元中の位置決めをする、本発明の１つの実施形態に従ったシステム１０の概略等角図である。
システム１０は、マーカー・アッセンブリ１４にエネルギーを与える、選択された磁気励起場あるいは信号２０を生成する発生器１８を含んでいる。エネルギーを与えられたマーカー・アッセンブリ１４は、励起ソース信号および環境ノイズ源の両方の存在下で十分に測定することができる測定可能なマーカー信号２２を生成する
マーカー信号２２は、センサーアレイ１６中の複数のセンサー２６によって測定される。
　
２ｂ）”The miniature marker assemblies 14 in the system 10 of the illustrated embodiment are inert, activatable assemblies that can be excited to generate a signal at a resonant frequency measurable by the sensor array 16 remote from the target 24. In one embodiment, the miniature marker assemblies 14 have, as one example, a diameter of approximately 2mm and a length of approximately 5mm, although other marker assemblies can have different dimensions. An example of the marker detection system is described in detail in co-pending U.S. Patent Application No. 09/877,498, titled GUIDED RADIATION THERAPY SYSTEM, filed June 8, 2001 , which is incorporated herein in its entirety by reference thereto.  The illustrated marker assembly 14 includes a coil 30 wound around a ferromagnetic core 32 to form an inductor. The inductor is connected to a capacitor 34, so as to form a signal element 36. Accordingly, the signal element 36 is an inductor (L) capacitor (C) resonant circuit. The signal element 36 in one embodiment is enclosed and sealed in an encapsulation member 38 made of plastic, glass, or other inert material. The illustrated marker assembly 14 is a fully contained and inert unit that can be used, as an example, in medical procedures in which the marker assembly is secured on and/or implanted in a patient's body.”（明細書第７ページ第２３行〜第８ページ第８行）
（ 図示された実施形態のシステム１０での小型マーカー・アッセンブリ１４は、目標２４から遠いセンサーアレイ１６によって測定可能な共振周波数での信号を生成するように励起されることができる、不活性な、活動可能なアッセンブリである。１つの実施形態では、
小型マーカー・アッセンブリ１４は、１例として、約２mmの直径および約５mmの長さを有している
　
図示されたマーカー・アッセンブリ１４は、インダクタを形成するために強磁性芯３２のまわりに巻かれたコイル３０を含んでいる。インダクタは信号要素３６を形成するように、コンデンサ３４に接続される。従って、信号要素３６はインダクタ（L）コンデンサ（C）共振回路である。１つの実施形態において、信号要素３６は、プラスチック、ガラスあるいは他の不活性な材料で作られたカプセル化部材３８で囲まれ密閉される。
マーカー・アッセンブリが患者の身体上に固定され、かつ／または身体内に埋設される医学的処置で使用することができる。
　
２ｃ）”The marker assembly 14 is energized, and thus activated, by the magnetic excitation field or signal 20 generated by the source generator 18 such that the marker's signal element 36 generates the measurable marker signal 22. The strength of the measurable marker signal 22 is high relative to environmental background noise at the marker resonant frequency, thereby allowing the marker assembly 14 to be precisely located in three-dimensional space relative to the sensor array 16.”（明細書第８ページ第２１〜２７行）
(
マーカー・アッセンブリ１４は、発生器１８によって発生された磁気励起場または信号２０によってエネルギーを与えられて、活動され、マーカーの信号要素３６が測定可能なマーカー信号２２を生成するようにする。
マーカー・アッセンブリ１４が、センサーアレイ１６に対して相対的に３次元空間内で正確に位置決めされる
　
２ｄ）”1. A system for generating a pulsed excitation field for excitation of a leadless marker assembly in or on a body, comprising: an energy storage device; a source coil configured to deliver a pulsed magnetic excitation signal to the leadless marker assembly, said pulsed magnetic excitation signal being of sufficient strength and of sufficiently limited duration to cause the leadless marker assembly to generate a marker signal that is measurable outside of the body; and a switching network coupled to the energy storage device and the source coil, wherein the switching network is configured to alternately transfer stored energy from the energy storage device to the source coil and to transfer energy from the source coil back to the energy storage device.”（明細書第２５ページ第３〜１４行）
（【請求項１】
　体内または体上のリード線無しマーカー・アッセンブリを励起するためのパルス励起場を発生するシステムが、　
　エネルギー蓄積装置、　
　体外で測定可能なマーカー信号を発生させるために十分な強度および十分に制限された期間を有するパルス磁気励起信号を、リード線無しマーカー・アッセンブリに与えるように構成されたソースコイル、および　
　エネルギー蓄積装置およびソースコイルに結合されたスイッチング・ネットワークから成り、スイッチング・ネットワークが、蓄積されたエネルギーをエネルギー蓄積装置からソースコイルに転送すること、およびエネルギーをソースコイルからエネルギー蓄積装置に逆に転送することを交互に行うように構成されているシステム。）
 
２ｅ）Ｆｉｇ．２から、マーカー・アッセンブリ１４は、全体がカプセル化部材３８で囲まれ密閉されていることが看取できる。
 以上の記載２ａ）〜２ｅ）及びＦｉｇ．１、Ｆｉｇ．２の記載を総合すると、刊行物２には以下の発明（以下「引用発明２」という）が記載されている。
「磁気励起場または信号２０によってエネルギーを与えられ、マーカーの信号要素３６が測定可能なマーカー信号２２を生成し、それによって、センサーアレイ１６に対して相対的に３次元空間内で位置決めされるものであって、インダクタを形成するために強磁性芯３２のまわりに巻かれたコイル３０を含んでおり、カプセル化部材３８で囲まれ密閉され、約２mmの直径および約５mmの長さを有している、患者の身体上に固定され、かつ／または身体内に埋設される医学的処置で使用することができるリード線無しマーカー・アッセンブリ１４。」
　
３．発明の対比
　本願発明と、引用発明１とを対比すると、引用発明１の「マーカー１２ｄを位置決めする」は、本願発明の「マーカ」を「配備する」に相当し、引用発明１の「細長い形状」は、本願発明の「細長い」に相当し、引用発明１の「管５４ｄ」は、本願発明の「本体」に相当し、引用発明１の「マンドレル９８ｄ」は、その機能から、本願発明の「配備機構体」に相当し、引用発明１の「収容し」は、本願発明の「有し」に相当し、引用発明１の「排出」は、本願発明の「放出」に相当し、引用発明１の「遠位部分」、及び「遠位開放端９０ｄ」は、本願発明の「遠位部分」に相当し、引用発明１の「マーカー１２ｄ」について、「管５４ｄの遠位部分における中央管腔５６ｄ」に「収容」されており、マンドレル９８ｄを使用して管５４ｄの中央管腔５６ｄに沿って押し出されることにより「管５４ｄの遠位開放端９０ｄから排出」されるものであるから、本願発明の「本体の前記遠位部分で放出自在に支持された」ものに相当する。　
　また、引用発明１の「マンドレル９８ｄ」は、「管５４ｄの遠位部分における中央管腔５６ｄ」に収容されるものであるから、本願発明の「遠位部分のところに設けられた」ものに相当する。　
　さらに、引用発明１の「マーカー１２ｄ」と、本願発明の「リード線無しマーカ」とは、「マーカー」であることにおいて共通し、
　引用発明１の「人体内の組織」と、本願発明の「患者の肺の中」とは、「人体内部にある組織」であることにおいて共通する。
　
　よって、両者の一致点、相違点は以下のとおりである。
　
［一致点］
　マーカーを人体内部にある組織に配備する装置であって、細長い本体と、前記本体の遠位部分で放出自在に支持されたマーカーと、遠位部分のところに設けられた配備機構体とを有し、前記配備機構体は、前記マーカーを前記本体の前記遠位部分から放出するよう構成されている装置。
　
［相違点１］
　人体内部にある組織が、本願発明においては、「患者の肺の中」であるのに対して、引用発明１においては、「人体内の組織」である点。
　
［相違点２］
　本願発明においては、「患者の前記肺の中の通路に通されるよう形作られている遠位部分を備えた細長い本体」を備えるのに対して、引用発明１においては、細長い形状の管５４ｄの遠位部分がそのような形状であるか不明である点。
　
［相違点３］
　マーカーに関して、本願発明においては、「トランスポンダ」を備えている「リード線無しマーカ」であって、さらに、トランスポンダは、「ワイヤレスで送られた励振エネルギーによってエネルギーを与えられ、前記励振エネルギーに応答して磁気ロケーション信号をワイヤレスで送るよう構成された回路を含む磁気トランスポンダから成」るものであって、さらに、「フェライトコア及び前記フェライトコアの周りに設けられたコイルを有し、前記マーカは、前記マーカの長手方向軸線に垂直であって、２ｍｍ以下の断面寸法を持つカプセルを更に有する」ものであるのに対して、引用発明１のマーカー１２ｄがそのようなトランスポンダを備えたリード線無しマーカであるか不明である点。
　
４．当審の判断
［相違点１について］
　引用発明１は、「治療または診断処置のため、被選択部位を特定すべく人体内の組織をマーキングする装置」であって、「治療または診断処置」を行う対象は、患者であることが想定される。さらに、マーキングを行う人体内の組織として、「肺の中」を選択することは周知（特開２００４−１５４５４８号公報、図１２に示されたタグ２０参照／特開２００１−８９４７号公報、図１における発信機１参照／特開平７−３１３５１５号公報、段落「【００２１】・・１６は肺や肝臓などの臓器・・」の記載など参照。）であって、当業者が必要に応じて行い得ることである。
　したがって、引用発明１においてマーキングを行う対象である「人体内の組織」を「患者の肺の中」とすることにより、本願発明の相違点１に係る発明とすることは、当業者が容易になし得たものである。
　
［相違点２について］
　引用発明１において、人体内の組織をマーキングするために、マーキングに使用する細長い形状の管５４ｄの遠位部分を、被選択部位を特定する人体内の組織に到達し得るような形状とすることは当業者であれば当然行い得ることであるから、上記相違点１についての検討のとおり、マーキングを行う対象である「人体内の組織」として、「肺の中」を選択した際、引用発明１の管５４ｄの遠位部分を、患者の前記肺の中の通路に通されるように形作る程度のことは、当業者であれば容易になし得ることである。
　
［相違点３について］
　引用発明２の「リード線無しマーカー・アッセンブリ１４」は、「リード線無しマーカ」であるといえ、引用発明２の「リード線無しマーカー・アッセンブリ１４」は、「磁気励起場または信号２０によってエネルギーを与えられ、マーカーの信号要素３６が測定可能なマーカー信号２２を生成」するものであって、磁気励起場または信号２０に応答してマーカー信号２２を生成するものであるから、「トランスポンダ」といえる。
　そして、引用発明２の「磁気励起場または信号２０」は、「ワイヤレスで送られた励振エネルギー」といえ、引用発明２の「マーカー信号２２」は、「それによって、センサーアレイ１６に対して相対的に３次元空間内で位置決めされる」ものであるから、「ロケーション信号」といえ、引用発明２の「強磁性芯３２」は、「フェライトコア」であり、引用発明２の「強磁性芯３２のまわりに巻かれたコイル３０」は、「フェライトコアの周りに設けられたコイル」であって、引用発明２の「カプセル化部材３８」は、「カプセル」であるといえる。
　さらに、引用発明２における「マーカー・アッセンブリ１４」が、「カプセル化部材３８で囲まれ密閉され、約２ｍｍの直径および約５ｍｍの長さを有している」ことは、刊行物２のＦｉｇ．２を併せみると、マーカー・アッセンブリ１４が、カプセル化部材３８を含んだものであり、約２ｍｍの直径は、マーカー・アッセンブリ１４の断面寸法にであることからみて、「マーカーは、マーカの長手方向軸線に垂直であって、約２ｍｍの断面寸法を持つカプセルを更に有する」ものということができる。
　また、引用発明２の「リード線無しマーカー・アッセンブリ１４」において、「磁気励起場または信号２０」及び「マーカー信号２２」は、刊行物２のＦｉｇ．２からみて「ワイヤレス」で送られるものといえる。
　以上から、引用発明２は、「トランスポンダを備えたリード線無しマーカにおいて、トランスポンダは、ワイヤレスで送られた励振エネルギーによってエネルギーを与えられ、前記励振エネルギーに応答してロケーション信号をワイヤレスで送るよう構成された回路を含むトランスポンダを備え、さらに、インダクタを形成するためにフェライトコア及び前記フェライトコアの周りに設けられたコイルを有し、前記マーカは、前記マーカの長手方向軸線に垂直であって、約２ｍｍの断面寸法を持つカプセルを有している、患者の身体上に固定され、かつ／または身体内に埋設される医学的処置で使用することができるリード線無しマーカ。」といいかえることができる。
　したがって、医学的処置のために人体内の組織をマーキングするという共通の課題のもとで、引用発明１のマーカー１２ｄに代えて、引用発明２のトランスポンダを備えたリード線無しマーカを採用し、該トランスポンダは、ワイヤレスで送られた励振エネルギーによってエネルギーを与えられ、前記励振エネルギーに応答してロケーション信号をワイヤレスで送るよう構成された回路を含むトランスポンダとし、フェライトコア及び前記フェライトコアの周りに設けられたコイルを有し、前記マーカは、前記マーカの長手方向軸線に垂直であって、約２ｍｍとして、「２ｍｍ以下」に含まれる断面寸法を持つカプセルを有するものとして、上記相違点３に係る本願発明とすることは、当業者であれば容易になし得たことである。
　
　そして、本願発明によって得られる効果も、引用発明１、引用発明２及び、周知の技術的事項から当業者であれば予測できる程度のものであって、格別なものとはいえない。
　
　したがって、本願発明は、引用発明１、引用発明２及び、周知の技術的事項に基いて当業者が容易に発明をすることができたものである。
　
５．結び
　以上のとおり、本願発明は、引用発明１、引用発明２及び、周知の技術的事項に基いて、当業者が容易に発明をすることができたものであるから、特許法第２９条第２項の規定により特許を受けることができない。
　したがって本願は、他の請求項について検討するまでもなく、拒絶すべきものである。
　
　よって、結論のとおり審決する。